(57)【要約】【課題】同一の内線電話機から異なるキャリア網に発信を可能とする。【解決手段】内線番号とキャリア網の発信者番号変換コードを記述した発信者番号管理テーブル１４２と、前記変換コードに対応した発信者番号を記述した発信者番号変換コード発信者番号変換テーブル１４３と、通常の呼制御処理を行う機能と、内線電話機２１から受信した発信要求６２の発信先番号および内線番号を認識する機能と、発信先番号が属するキャリア網を認識する機能と、キャリア網と内線番号を用いて管理テーブル１４２を参照して内線電話番号の発信者番号変換コードを取得する機能と、取得した変換コードを用いて前記変換テーブル１４３を参照して発信者のキャリア網に対応した発信者番号を取得する機能と、内線電話機から受信した発信要求６２に搭載されていた内線番号を取得した発信者番号に変換した着信要求６４を送り出す機能を有する中央制御装置を備えた交換装置。【選択図】図４
2010166146.tif 000002
【特許請求の範囲】
【請求項１】
電話機を複数接続し、複数のキャリア網と通信を行わせる交換装置であって、
前記電話機からの発信情報を受信すると、当該発信情報に基づき前記複数の通信キャリア網のうち発信すべきキャリア網を特定し、前記特定したキャリア網に対応した発信者番号にて発信処理を行う、
ことを特徴とする交換装置。
【請求項２】
複数のキャリア網を収容するとともに複数の内線電話機を収容する交換装置において、
交換装置は、呼制御などの処理を行う中央制御装置と、内線番号ごとにキャリア網ごとの発信者番号の変換コードを記述した発信者番号管理テーブルと、前記発信者番号変換コードに対応した発信者番号（契約電話番号）を記述した発信者番号変換コード発信者番号変換テーブルを備え、
中央制御装置が、通常の呼制御処理を行う機能と、内線電話機から受信した発信要求に搭載された発信先番号および内線番号を認識する機能と、発信先番号が例えばＰＳＴＮ網３に属するかＩＰ網４に属するかのキャリア網の種類を認識する機能と、認識したキャリア網の種類と認識した内線番号を用いて発信者番号管理テーブルを参照して内線電話番号ごとに複数のキャリア網に対して付与された発信者番号変換コードを取得する機能と、取得した発信者番号変換コードを用いて発信者番号変換テーブルを参照して発信者のキャリア網に対応した発信者番号（契約電話番号）を取得する機能と、内線電話機から受信した発信要求に搭載されていた内線番号を取得した発信者番号に変換した発信要求を送り出す機能を有する
ことを特徴とする交換装置。
【請求項３】
請求項１または請求項２記載の交換装置において、
前記内線電話機からの発信要求は、ダイヤル操作による発信、又は、予め発信先の番号が登録されているボタン（ワンタッチボタン）の押下による発信である
ことを特徴とする交換装置。
【発明の詳細な説明】
【技術分野】
【０００１】
本発明は、構内交換機と、当該構内交換機に接続された複数の通信事業者（キャリア）網（ＮＴＴ網やＫＤＤＩ網など）と、構内電話網とでなる通話システムに関する。特に、本発明は、前記通話システムにおける構内交換機に接続された複数の内線電話機（ＩＰ電話機）が予め複数のキャリア網毎に独自の発信者番号を通知するように設定された通話システムにおける発信制御技術に関する。
【背景技術】
【０００２】
構内交換機と当該構内交換機にＬＡＮ回線ケーブルなどで接続された内線電話機、またはトランク回線で接続された内線電話機からキャリア網へ発信する場合、従来のシステムでは使用するキャリア網が複数収容されてなかったため、発信する時の発信者番号をキャリア網に対応して複数もつ必要はなかった。
【０００３】
しかし、近年、キャリア網の普及により同一の内線電話機から複数のキャリア網のうちの特定のキャリア網を選択して接続する必要が生じても、従来のシステムでは同一の内線電話機でキャリア網毎の発信者番号を複数もっていないことから、契約電話番号を持つキャリア網以外のキャリア網へ発信することができなかった。発信者番号通知に関して、例えば、以下の特許文献が公開されている。
【先行技術文献】
【特許文献】
【０００４】
【特許文献１】特願平０７−１１１５３８
【発明の概要】
【発明が解決しようとする課題】
【０００５】
従来の通話システムにおいては、構内交換機に内線電話機ごとにキャリア網ごとの発信者番号を設定する必要があり、特定のキャリア網に発信者番号が設定された内線電話機が契約外のキャリア網を使用したい場合には、使用したいキャリア網に契約している別の内線電話機を使用しなければならないため、内線電話機の台数が増え、または操作性においても面倒である。
【０００６】
本発明は、上記事情に鑑みてなされたものであり、本発明の目的は、同一の内線電話機から異なるキャリア網に発信する場合、発信者がキャリア網毎の内線電話機を気にすることなく発信できるようにすることにある。
【課題を解決するための手段】
【０００７】
上記課題を解決するために、本発明は構内交換機で内線電話機の発信回線毎にキャリア網の発信者番号（契約電話番号）を登録することで内線電話機がキャリア網に発信する際、自動的に発信するキャリア網に対応した発信者番号を付与して該当するキャリア網へ発信させることを特徴とする。
【発明の効果】
【０００８】
キャリア網毎にキャリア網に対応した発信者番号（契約電話番号）を通知できるよう構内交換機に内線番号とキャリア網に対応した発信者番号を設定することにより、内線電話機は使用するキャリア網を気にすることなく発信することが可能となる。
【０００９】
すなわち、本発明によれば、内線電話機からダイヤル操作による発信、又は、ワンタッチボタン（予め発信先のダイヤル番号が登録されている）が押され、構内交換機が発信要求を受信した時、構内交換機でキャリア網の発信回線を特定して、それに対応する発信者番号を自動的に設定されることで、内線電話機から発信先のキャリア網が何であるかを気にすることなく発信相手を呼び出すことができる。
【図面の簡単な説明】
【００１０】
【図１】本発明が適用される通話システムの構成を説明する概略構成図。
【図２】ＩＰ内線電話機の盤面の構成を説明する概略図。
【図３】内線電話機発信者番号管理テーブル、及び発信者番号号変換テーブルを説明する図。
【図４】図１において、本発明を適用した場合の動作を説明するシーケンス図。
【発明を実施するための形態】
【００１１】
以下、本発明の実施形態について説明する。通話システムの概略構成図である図１を用いて、本発明の構成を説明する。本発明にかかる通話システムは、構内交換機（交換装置）１と、複数のＩＰ内線電話機２１と、テレフォニーユニット（ＴＵ）２２がＬＡＮ回線ケーブル２でＨＵＢ２３に接続され、テレフォニーユニット２２から複数のキャリア網３、４と接続された複数の加入者電話機５１、５２で構成されている。また、複数のキャリア網は、ＬＡＮ回線２にＧＷ（図示せず）を介して収容するＩＰ網であってもよい（例えば、ＣキャリアのＩＰ網）。
【００１２】
構内交換機１は、呼制御ユニット１１とＬＡＮ制御ユニット１２が搭載され、呼制御ユニット１２は中央制御装置（ＣＰＥ）１３と主記憶装置（ＭＥＮ）１４を備えており、呼制御ユニット１１はＬＡＮ制御ユニット１２を介してＩＰ網、ＩＰ内線電話機、テレフォニーユニット（ＴＵ）等との間で種々のメッセージの送受信を行う。
【００１３】
中央制御装置（ＣＰＥ）１３は、主記憶装置１４に記憶されたプログラムを読み出し実行することで、構内交換機１の各構成要素および構内交換機１が収容するＩＰ内線電話機２１とテレフォニーユニット２２を制御し、交換作業などのサービスや発信者番号管理テーブル１４２、発信者番号変換テーブル１４３の制御情報登録、読み出し処理などを実施する。
【００１４】
主記憶装置（ＭＥＮ）１４は、交換作業などを実施するプログラム、および制御データの他、構内交換機が収容するＩＰ内線電話機２１、またはテレフォニーユニット２２を連動させるための発信者番号管理テーブル１４２、発信者番号変換テーブル１４３と発呼させるため発呼プログラム１４１を記憶している。
【００１５】
ＬＡＮ制御ユニット１２は、呼制御ユニット１１からの呼制御メッセージをＩＰ内線電話機２１、またはテレフォニーユニット２２に対してＬＡＮ回線ケーブル２で送出したり、ＩＰ内線電話機２１、またはテレフォニーユニット２２からＬＡＮ回線ケーブル２により受信した呼制御メッセージを呼制御ユニット１１へ送出する。
【００１６】
テレフォニーユニット（ＴＵ）２２は、構内交換機１の制御に基づいて動作するものであって、ＩＰ型ではないメッセージやデータを取り扱えるようにするものである。例えば、ＩＰ系ネットワークと一般のアナログ電話機やＰＳＴＮ（Public Switched Telephone Network：公衆交換電話網：デジタル伝送及びアナログ伝送含む）を接続するための変換を行う装置である。具体的には、構内交換機１やＩＰ内線電話機２１等から受信するＩＰ型の呼制御情報や音声信号を収容するキャリア網に対応した形態に変換して送信したり、図示しない直接収容する一般電話機（アナログ電話機）に対しては、構内交換機１やＩＰ内線電話機２１等から受信するＩＰ型の呼制御情報や音声信号をアナログ音声やデジタル信号に変換したりする動作を行い送信している。また、その動作の逆に、収容するキャリア網や直接収容する一般電話機からの呼制御情報や音声信号（アナログやデジタル）をＩＰ型のそれに変換する動作を行う。図１において、テレフォニーユニット（ＴＵ）２２は、複数のキャリア網と接続するためにＩＳＤＮ基本インタフェース（ＢＲＩ／ＰＲＩ）２２１、２２２を搭載しており、そのＩＳＤＮ基本インタフェース（ＢＲＩ／ＰＲＩ）２２１にはＰＳＴＮ網３とＩＳＤＮ回線ケーブルで接続された加入者電話機５１、ＩＳＤＮ基本インタフェース（ＢＲＩ／ＰＲＩ）２２２にはＩＳＤＮ回線ケーブルで接続されたＧＷ４２、ＬＡＮ回線ケーブル４３でＩＰ網４とＬＡＮ回線ケーブルで接続された加入者電話機５２で構成されている。
【００１７】
図２を用いて、ＩＰ内線電話機の盤面の概略構成を説明する。
【００１８】
ＩＰ内線電話機２１は、ダイヤル番号情報、発信者番号などを表示する表示器２１１、オートダイヤル機能などに使用する機能ボタン２１２、ダイヤル操作を受け付けるダイヤルボタン２１３、音声を送出するためのスピーカ２１４、通話を行うための受話器２１５を備えている。
【００１９】
図３を用いて、ＩＰ内線電話機２１からＰＳＴＮ網３またはＩＰ網４などのキャリア網へ発信させるために使用する発信者番号管理テーブル１４２と発信者番号変換テーブル１４３の構成を説明する。
【００２０】
発信者番号管理テーブル１４２は、内線番号を格納する内線番号格納エリア１４２１と、ＩＰ内線電話機２１がキャリア網に発信する際に使用する発信者番号を特定するための変換コードが格納されている発信者番号変換コード格納エリア１４２２がある。発信者番号管理テーブル１４２には、内線番号毎に、それぞれのキャリア網における発信者番号変換コードが記述される。例えば、内線番号“２０００”と“２００１”には、それぞれＡキャリアのＰＳＴＮ網に対する発信者番号変換コード“０”とＢキャリアのＩＰ網に対する発信者番号変換コード“１”が記述され、内線番号“２００２”には、ＰＳＴＮ網に対する発信者番号変換コード“２”とＩＰ網に対する発信者番号変換コード“３”が記述され、内線番号“２００３”には、ＰＳＴＮ網に対する発信者番号変換コード“０”とＩＰ網に対する発信者番号変換コード“３”が記述される。
【００２１】
発信者番号変換テーブル１４３は、変換コード格納エリア１４３１と、キャリア網毎に通知するための発信者番号を格納する発信者番号格納エリア１４３２がある。発信者番号変換テーブル１４３は、発信者番号変換コードに対応したそれぞれのキャリア網への発信者番号が記述されている。例えば、発信者番号変換コード“０”には、ＰＳＴＮ網との契約電話番号である発信者番号“０２４−１１１１−２２２２”が記述され、発信者番号変換コード“１”には、ＩＰ網との契約電話番号である発信者番号“０５０−１１１１−２２２２”が記述され、発信者番号変換コード“２”には、ＰＳＴＮ網との契約電話番号である発信者番号“０２４−１１１１−３３３３”が記述され、発信者番号変換コード“３”には、ＩＰ網との契約電話番号である発信者番号“０５０−１１１１−３３３３”が記述される。
【００２２】
ＩＰ内線電話機２１からＰＳＴＮ網３、またはＩＰ網４へ発信する場合、中央制御装置（ＣＰＥ）は、相手番号からキャリア網がどれであるか判断し、発信者番号管理テーブル１４２を参照してキャリア網に対応した発信者番号変換コードを取得し、取得した発信者番号変換コードを用いて発信者番号変換テーブル１４３を参照して該当するキャリア網の発信者番号を取得し、接続要求に発信者番号を付加して発呼処理を実行する。これにより、発信者は、キャリア網を気にすることなく加入者電話機５１またはＩＰ電話機５２へ発信することができる。
【００２３】
以下、図４を用いて、本発明による発呼時の動作シーケンスを説明する。ＩＰ内線電話機２１の内線番号を“２０００”としてＰＳＴＮ網３の加入者電話機５１“０３−ＸＸＸＸ−ＸＸＸＸ”へ発信する場合、ＩＰ内線電話機２１から加入者電話機５１の番号である発信先番号をダイヤル操作後に発信ボタンを押下、または加入者電話機５１の番号である発信先番号が登録されたワンタッチボタンを押下して発信操作６１を実施すると、ＩＰ内線電話機２１から呼制御メッセージの発信要求６２“外線特番０＋発信先番号０３−ＸＸＸＸ−ＸＸＸＸ＋内線番号２０００”をＬＡＮ回線ケーブル２で接続されたＨＵＢ２３を介して構内交換機１のＬＡＮ制御ユニット１２に対して送出する。発信要求６２には、加入者電話機５１の発信先番号（ダイヤル番号）とＩＰ内線電話機２１の内線番号が含まれている。
【００２４】
ＬＡＮ制御ユニット１２は、ＩＰ内線電話機２１から受信した呼制御メッセージの発信要求６２を呼制御ユニット１１に送出する。
【００２５】
呼制御メッセージの発信要求６２を受信した呼制御ユニット１１は、中央制御装置（ＣＰＥ）１３へ発信要求６２を通知し、発信先である加入者電話機５１のダイヤル番号“０３−ＸＸＸＸ−ＸＸＸＸ”を一時主記憶装置（ＭＥＮ）１４に保存する。
【００２６】
中央制御装置（ＣＰＥ）１３は、発信要求６２に記述された加入者電話機５１のダイヤル番号を参照してダイヤル番号先頭の“０３”から発信するキャリア網をＰＳＴＮ網３と特定し、次いで発信者番号変換処理６３において発信者番号管理テーブル１４２の発信者番号変換コード格納エリア１４２２からＩＰ内線電話機２１の内線番号“２０００”に対応するＰＳＴＮ網３での発信者番号を示す発信者番号変換コード“０”を抽出する。
【００２７】
さらに、中央制御装置（ＣＰＥ）１３は、抽出した発信者番号変換コード“０”に該当する発信者番号“０２４−１１１１−２２２２”を発信者番号変換テーブル１４３の発信者番号格納エリア１４３２から抽出する。
【００２８】
呼制御ユニット１１の中央制御装置（ＣＰＥ）１３は、発信者番号変換処理６３で発信者番号管理テーブル１４２と発信者番号変換テーブル１４３を参照して取得したＰＳＴＮ網３へ発信する発信者番号“０２４−１１１１−２２２２”を、ＬＡＮ制御ユニット１２を介してＬＡＮ回線ケーブル２でＨＵＢ２３に接続されたテレフォニーユニット２２に対して呼制御メッセージの着信要求６４に搭載して送出する。
【００２９】
呼制御メッセージの着信要求６４を受信したテレフォニーユニット（ＴＵ）２２は、着信要求６４を解析後、発信回線を特定し、ＰＳＴＮ網３に接続されたＩＳＤＮ基本インタフェース（ＢＲＩ／ＰＲＩ）２２１へ向けてダイヤル番号に発信者番号“０２４−１１１１−２２２２”が付与された着信要求６４を送出する。
【００３０】
ＩＳＤＮ回線３１を介してダイヤル番号に発信者番号が付与された着信要求６４を受信したＰＳＴＮ網３は、着信要求６４に付与された発信者番号“０２４−１１１１−２２２２”からＰＳＴＮ網３の電話番号を持つ電話機であることを確認して該当する加入者電話機５１“０３−ＸＸＸＸ−ＸＸＸＸ”へ発信して鳴出音を鳴動させるとともに、発信者番号を加入者電話機５１へ通知する。
【００３１】
同様に、ＩＰ内線電話機２１からＩＰ網４の加入者電話機５２へ発信する場合、ＩＰ内線電話機２１から加入者電話機５２の発信先番号“０５０―ＸＸＸＸ−ＸＸＸＸ”をダイヤル操作後に発信ボタンを押下、または加入者電話機５１の発信先番号が登録されたワンタッチボタンを押下して発信操作６５を実施する。ＩＰ内線電話機２１は、呼制御メッセージの発信要求６６“０５０−ＸＸＸＸ−ＸＸＸＸ＋２０００”を、ＬＡＮ回線ケーブル２で接続されたＨＵＢ２３を介して構内交換機１のＬＡＮ制御ユニット１２に対して送出する。
【００３２】
発信要求６６には、加入者電話機５２を示す発信先番号 “０５０−ＸＸＸＸ―ＸＸＸＸ”とＩＰ内線電話機２１の内線番号“２０００”が含まれている。ＬＡＮ制御ユニット１２は、受信した呼制御メッセージの発信要求６２を呼制御ユニット１１に送出する。
【００３３】
呼制御メッセージの発信要求６６を受信した呼制御ユニット１１は、受信した発信要求６５を中央制御装置１３に通知する。中央制御装置（ＣＰＥ）１３は、加入者電話機５２のダイヤル番号“０５０−ＸＸＸＸ−ＸＸＸＸ”を一時主記憶装置１４に保存する。
【００３４】
中央制御装置（ＣＰＥ）１３は、加入者電話機５２の発信先番号“０５０−ＸＸＸＸ―ＸＸＸＸ”の先頭の“０５０”から発信するキャリア網がＩＰ網４であると特定して、発信者番号変換処理６７により発信者番号管理テーブル１４２からＩＰ内線電話機２１の内線番号“２０００”に対応するＩＰ網４における発信者番号の変換コード“１”を発信者番号変換コード格納エリア１４２２から抽出する。
【００３５】
次いで、中央制御装置（ＣＰＥ）１３は、発信者番号変換コード格納エリア１４２２から抽出した発信者番号変換コード“１”を用いて、ＩＰ網に対応する発信者番号“０５０−１１１１−２２２２”を、発信者番号変換テーブル１４３の発信者番号格納エリア１４３２から抽出する。
【００３６】
呼制御ユニット１１は、発信者番号変換処理６７で、発信要求６６に搭載された発信先番号を用いて発信者番号管理テーブル１４２を参照して変換コード“１”を取得し、この変換コード“１”を用いて発信者番号発信者番号変換テーブル１４３を参照してＩＰ網４へ通知する発信者番号“０５０１１１１−２２２２”を取得する。呼制御ユニット１１の中央制御装置（ＣＰＥ）１３は、ＬＡＮ制御ユニット１２を介してＬＡＮ回線ケーブル２でＨＵＢ２３に接続されたテレフォニーユニット２２に対して呼制御メッセージの発信者番号“０５０−１１１１−２２２２”が付与された着信要求６８を送出する。
【００３７】
呼制御メッセージの着信要求６８を受信したテレフォニーユニット（ＴＵ）２２は、着信要求６８から発信回線を特定して、ＧＷ４２に接続するためのＩＳＤＮ基本インタフェース（ＢＲＩ／ＰＲＩ）２２２へ向けて、発信者番号“０５０−１１１１−２２２２”が付与された着信要求６８をＩＰ網４へ送出する。
【００３８】
着信要求６８を受信したＩＰ網４は、ＩＰ電話機２１が、ＩＰ網４の発信者番号を有することを確認して該当する加入者電話機５２のへ発信して、鳴出音の鳴動指示メッセージを送るとともに、発信者番号を加入者電話機５２へ通知する。
【００３９】
このようにして、ＩＰ電話機２１は、相手ダイヤル番号がＰＳＴＮ網３に属するかＩＰ網４に属するかを考慮することなくダイヤルすることによって、それぞれの網の相手に発信者番号を通知しての発信動作を行うことができる。
【００４０】
本実施の形態においては、ＡキャリアのＰＳＴＮ網と、ＢキャリアのＩＰ網を例に説明してきたが、これに限定されるものではなく、発信者番号形態が異なれば、ＡキャリアのＰＳＴＮ網とＢキャリアのＰＳＴＮ網、ＡキャリアのＩＰ網とＢキャリアのＩＰ網、同一キャリアの複数のＰＳＴＮ網、同一キャリアの複数のＩＰ網であってもよい。また、通信キャリアや通信網も２つに限定されるものではなく、２つ以上なら複数種類のキャリア（通信事業者）及び複数種類の通信網であってよい。
【００４１】
これは、本実施の形態においては、テレフォニーユニット（ＴＵ）２２に収容される２つのＩＳＤＮ回線のＰＳＴＮ網とＩＰ網（ＧＷ経由）においての、発信者番号変換動作について例に説明したが、テレフォニーユニット（ＴＵ）２２に接続する通信キャリア網は複数でよく、更に、ＨＵＢ２に接続するＩＰ網（ＧＷ経由）とを含めた形態でも特段問題ないとするものである。
【００４２】
また、本実施の形態においては、構内交換機１とテレフォニーユニット（ＴＵ）２２を分離した構成の交換システムを例として説明したが、構内交換機１とテレフォニーユニット（ＴＵ）２２とは、一体化構成としてもよい。
【００４３】
また、本実施の形態においては、ＩＰ内線電話機２１よりの発信動作の場合について説明したが、テレフォニーユニット（ＴＵ）２２に収容接続される一般電話機からの発信動作の場合も同様に通信キャリア網に対応した発信者番号変換処理を行えるものである。
【００４４】
上記の動作を行う本発明にかかる構内交換機１は、中央制御装置１１が、通常の呼制御処理を行う機能と、内線ＩＰ電話機２１から受信した発信要求６２に搭載された発信先番号および内線番号を認識する機能と、発信先番号が例えばＰＳＴＮ網３であるかＩＰ網４であるか等のキャリア網の種類を認識する機能と、認識したキャリア網の種類と認識した内線番号を用いて発信者番号管理テーブル１４２を参照して内線電話番号ごとに複数のキャリア網に対して付与された発信者番号変換コードを取得する機能と、取得した発信者番号変換コードを用いて発信者番号変換テーブル１４３を参照して発信者のキャリア網に対応した発信者番号（契約電話番号）を取得する機能と、ＩＰ電話機２１から受信した発信要求に搭載されていた内線番号を取得した発信者番号に変換した発信要求６４をＬＡＮ制御ユニット１２−ＬＡＮ回線２−ＨＵＢ２３を経由して、テレフォニーユニット２２へ送り出す機能を有している。
【００４５】
以上の説明においては、内線電話機としてＩＰ電話機を例にとって説明したが、内線電話機は、ＩＰ電話機に限らず、ＳＩＰ（Session Initiation Protocol）電話機などの内線電話機、またはトランク回線で接続された内線電話機であってよい。トランク回線に接続された内線電話機においては、中央制御装置（ＣＰＥ）１３における、内線番号を認識する機能は、発信要求を受信した回線トランク接続された内線電話機であることにより認識すれば、本発明を実施することができる。
【００４６】
また、上記説明においては、ＩＰ内線電話機１６がＬＡＮ回線２に接続される例を示したが、内線電話機が接続される回線は、ＬＡＮ回線に限ることはなく他の内線であってもよい。この場合、ＰＳＴＮ網、ＩＰ網へは、外線トランクを介して接続され、本発明の発信者番号変換処理を付加した通常の呼接続処理により行われる。
【符号の説明】
【００４７】
１：構内交換機（交換装置）、
１１：呼制御ユニット、
１２：ＬＡＮ制御ユニット、
１３：中央制御装置（ＣＰＥ）、
１４：主記憶装置（ＭＥＮ）、
１４１：発呼プログラム
１４２：発信者番号管理テーブル、
１４２１：内線番号格納エリア、
１４２２：発信者番号変換コード格納エリア、
１４３：発信者番号変換テーブル、
１４３１：発信者番号変換コード格納エリア、
１４３２：発信者番号格納エリア、
２：ＬＡＮ回線ケーブル、
２１：ＩＰ内線電話機、
２１１：表示器、
２１２：ワンタッチボタン、
２１３：ダイヤルボタン、
２１４：スピーカ、
２１５：受話器、
２２：テレフォニーユニット（ＴＵ）、
２２１：ＩＳＤＮ基本インタフェース（ＢＲＩ／ＰＲＩ）、
２２２：ＩＳＤＮ基本インタフェース（ＢＲＩ／ＰＲＩ）、
２３：ＨＵＢ、
３：キャリア網（ＰＳＴＮ網）、
３１：ＩＳＤＮ回線、
４：キャリア網（ＩＰ網）、
４１：ＩＳＤＮ回線ケーブル、
４２：ＧＷ、
４３：ＬＡＮ回線ケーブル、
５１：加入者電話機、
５２：加入者電話機、
６１、６５：ダイヤル番号＋発信操作、又はワンタッチボタン押下操作、
６２、６６：発信要求メッセージ、
６３、６７：発信者番号変換処理、
６４、６８：着信要求メッセージ。
【図１】
2010166146.tif 000003
【図２】
2010166146.tif 000004
【図３】
2010166146.tif 000005
【図４】
2010166146.tif 000006